(57)【特許請求の範囲】
【請求項１】
釣り用リールを釣り竿に装着するために釣り竿に取り付けられるリールシートであって、
前記釣り用リールの取付脚の一側を係止するための第１係止部と、前記釣り竿に装着される装着部と、端部に形成された雄ネジ部とを有するシート本体と、
前記第１係止部に対向して配置され、前記取付脚の他側を係止するための第２係止部を有し、前記雄ネジ部の外周に軸方向に移動自在かつ相対回転不能に装着される移動シート部と、
前記移動シート部と共に軸方向に移動可能でありかつ前記シート本体及び移動シート部に対して相対回転可能であり、前記雄ネジ部に螺合して前記移動シート部を移動させる雌ネジ部が形成されたナット部と、
前記ナット部の内周側に別体で配置され、前記ナット部が前記シート本体に対して相対回転する際に発音させるための発音機構と、
を備えたリールシート。
【請求項２】
前記発音機構は、前記ナット部の前記シート本体に対する相対回転を一時的に規制して、前記ナット部の前記シート本体に対する螺合が緩むのを抑えている、請求項１に記載のリールシート。
【請求項３】
前記発音機構は、
前記ナット部の内周部に相対回転不能に固定される第１環状部材と、
前記第１環状部材の一側に軸方向移動自在に支持されるピンと、
前記第１環状部材の一側と対向するようにかつ前記第１環状部材に相対回転可能に装着され、前記シート本体と相対回転不能になるように係止部が内周部に形成され、前記ピンに対向する凹部が回転方向に複数形成された第２環状部材と、
前記ピンを前記凹部に向けて付勢する第１付勢部材とを有し、
前記ナット部が前記移動シート部に対して相対回転する際に前記ピンが前記凹部のいずれかに衝突することで発音する、
請求項１又は２に記載のリールシート。
【請求項４】
複数の前記凹部は回転方向に等間隔で形成されている、請求項３に記載のリールシート。
【請求項５】
前記第２環状部材は、複数の前記凹部を回転方向に連通する溝をさらに有している、請求項３又は４に記載のリールシート。
【請求項６】
前記第２環状部材を前記第１環状部材側に付勢する第２付勢部材をさらに備えた、請求項３から５のいずれかに記載のリールシート。
【発明の詳細な説明】
【０００１】
【発明の属する技術分野】
本発明は、リールシート、特に、釣り用リールを釣り竿に装着するために釣り竿に取り付けられるリールシートに関する。
【０００２】
【従来の技術】
釣り竿には、リールを取り付けるためのナット式のリールシートが設けられている。リールシートは、一般に、シート本体と、移動シート部と、ナット部とを備えている。シート本体は、リールの取付脚の一側を係止する係止部と、端部に形成された雄ネジ部とを有している。移動シート部は、取付脚の他側を係止する係止部を有している。ナット部は、シート本体の雄ネジ部に螺合してシート本体に対して移動自在であり、移動シート部を移動させる。
【０００３】
このようなリールシートでは、リールの取付脚の一側をシート本体の係止部に係止した状態でナット部を回転させ、移動シート部の係止部で取り付け部の他側を係止し、両係止部で取付脚を狭持することにより、リールが釣り竿に固定される。
【０００４】
この種のリールシートには、雌雄のネジの嵌め合いをきつくすることなく取付脚を狭持するために、ナット部をシート本体に対し回り止めすることによってナット部が緩むのを防止する回り止め機構を備えたものがある。また、この回り止め機構は、ナット部がシート本体に対して回転する際の発音機構ともなっている。
【０００５】
この種の回り止め・発音機構は、一般的に、移動シート部とナット部との間に配置されており、回り止めピンと付勢部材とを有している。回り止めピンは移動シート部に軸方向に移動自在に支持されている。そして、ナット部の回り止めピンに対向する側面には回り止め穴が回転方向に複数形成されている。付勢部材は回り止めピンを回り止め穴に向けて付勢している。
【０００６】
この回り止め・発音機構では、ナット部を回転させると、回り止めピンがナット部の回り止め穴に対して出入りを繰り返し、回り止めピンが回り止め穴に侵入した状態で回り止め作用が得られる。また、回り止めピンが回り止め穴に対して出入りを繰り返すとき、回り止めピンが回り止め穴に衝突して発音する。
【０００７】
【発明が解決しようとする課題】
従来の回り止め・発音機構においては、回り止めピン及び付勢部材は移動シート部に形成された穴に支持されており、回り止め穴はナット部に形成されている。このため、回り止め・発音機構のための部材の大きさ、形状等は、移動シート部及びナット部の形状等に左右されてしまい、仕様が制限されてしまう。例えば、発音の高低等を変更しようとしても、ナット部の材質が限定されてしまうので、変更できる範囲が狭くなってしまう。
【０００８】
また、この回り止め・発音機構において、通常、回り止めピン及び回り止め穴は相対回転するため互いに摩耗し易い状況にある。回り止め穴が摩耗して回り止めとしての機能が十分に得られなくなったときには、従来はナット部全体を交換しなければならず、交換のためのコストが高価になってしまう。
【０００９】
本発明の目的は、回り止め・発音機構の設計の自由度を大きくすることにある。
本発明の別の目的は、回り止め・発音機構が摩耗等したときの交換コストを安価にすることにある。
【００１０】
【課題を解決するための手段】
発明１に係るリールシートは、釣り用リールを釣り竿に装着するために釣り竿に取り付けられるものであって、シート本体と、移動シート部と、ナット部と、発音機構とを備えている。
【００１１】
シート本体は、釣り用リールの取付脚の一側を係止するための第１係止部と、釣り竿に装着される装着部と、端部に形成された雄ネジ部とを有している。移動シート部は、第１係止部に対向して配置され、取付脚の他側を係止するための第２係止部を有し、雄ネジ部の外周に軸方向に移動自在かつ相対回転不能に装着されている。ナット部は、移動シート部と共に軸方向に移動可能でありかつシート本体及び移動シート部に対して相対回転可能であり、雄ネジ部に螺合して移動シート部を移動させる雌ネジ部が形成されている。発音機構は、ナット部の内周側に別体で配置され、ナット部がシート本体に対して相対回転する際に発音させるための機構である。
【００１２】
このリールシートでは、リールの取付脚の一側を第１係止部に係止させた状態でナット部の雌ネジ部をシート本体の雄ネジ部に螺合させ、このナット部を一方向に回転させると、移動シート部はナット部に押されて第１係止部に接近し、第２係止部が取付脚の他側を係止する。これにより、リールが釣り竿に固定される。このとき、発音機構によって音が発せられる
ここでは、発音機構は、ナット部及び移動シート部から独立した部材であるため、ナット部及び移動シート部の設計事項に影響されずに設計することができ、設計の自由度が増す。
【００１３】
また、発音機構の交換においても、ナット部材等とは別に独立して行うことができる。
発明２に係るリールシートは、発明１のシールシートにおいて、発音機構は、ナット部のシート本体に対する相対回転を一時的に規制して、ナット部のシート本体に対する螺合が緩むのを抑えている。
【００１４】
ここでは、発音機構がナット部の緩み止めとしても機能している。
発明３に係るリールシートは、発明１又は２のリールシートにおいて、発音機構は、第１環状部材と、ピンと、第２環状部材と、第１付勢部材とを有している。第１環状部材はナット部の内周部に相対回転不能に固定されている。ピンは第１環状部材の一側に軸方向に移動自在に支持されている。第２環状部材は、第１環状部材の一側と対向するようにかつ第１環状部材に相対回転可能に装着され、シート本体と相対回転不能になるように係止部が内周部に形成され、ピンに対向する凹部が回転方向に複数形成されている。第１付勢部材はピンを凹部に向けて付勢する。そして、ナット部がシート本体に対して相対回転する際にピンが凹部のいずれかに衝突することで発音する。
【００１５】
このリールシートでは、ナット部の移動が進むと、第２環状部材は、係止部にシート本体の雄ネジ部が係止することで回転不能となり、一方、第１環状部材はナット部とともに回転し、第１環状部材と第２環状部材とは相対回転する。このとき、ピンが複数の凹部のいずれかに当接することにより、ナット部はシート本体に対し回り止めされる。また、ピンが複数の凹部に繰り返し衝突することにより、クリック音が発生する。
【００１６】
発明４に係るリールシートは、発明３のリールシートにおいて、複数の凹部は回転方向に等間隔で形成されている。
このリールシートでは、ナット部を等角度ごとに回り止めすることができる。また、クリック音は一定のテンポで連続的に発生するため、使用者に回り止めが精密に行われているような印象を与えることができる。
【００１７】
発明５に係るリールシートは、発明３又は４のリールシートにおいて、第２環状部材は、複数の凹部を回転方向に連通する溝をさらに有している。
このリールシートでは、ピンは、隣接する凹部間を溝に当接して移動するため、ピンが各凹部に出入りする際の衝撃が少なくなる。このため、第２環状部材の摩耗を抑えることができる。
【００１８】
発明６に係るリールシートは、発明３から５のいずれかのリールシートにおいて、第２環状部材を第１環状部材側に付勢する第２付勢部材をさらに備えている。
【００１９】
このリールシートでは、第２付勢部材の付勢力によりピンと凹部との間の圧接力が大きくなる。このため、回り止めされたナット部が緩みにくくなる。また、クリック音の各音が明瞭になるとともに、各音の大きさが均一になる。
【００２０】
【発明の実施の形態】
図１に本発明の一実施形態が採用されたリールシート１を示す。
このリールシート１は、リール２の取付脚３を係止することでリール２を竿４に装着するものであり、シート本体１０と、移動シート部１１と、ナット部１２と、図２に示されるような発音及び回り止め機構（以下、単に発音機構と記す）１３とを備えている。
【００２１】
シート本体１０は、図２及び３に示されるように、樹脂等からなる略筒状の部材であり、内周部に竿４が貫通して装着されている。シート本体１０は、竿尻側の大径部１５と、穂先側の小径部１６とを有している。
【００２２】
大径部１５の竿尻側にはコルク製の竿尻グリップ１７が竿４の外周に嵌め込まれている。大径部１５の穂先側外周部には、リール２の取付脚３の竿尻側を載置するための載置部２１と、取付脚３の竿尻側を係止するための第１係止部２０とが形成されている。第１係止部２０は、載置部２１の竿尻側端部から上方の一部を覆うように載置部２１と一体に形成されている。大径部１５の第１係止部２０と逆側の外周部には、弾性材料からなるシートグリップ２３が固定されている。大径部１５の小径部１６に隣接する外周部には、取付脚３の穂先側を載置するための平坦な載置部２５が形成されている。載置部２５の幅方向両側には、取付脚３の幅方向の移動を規制するための１対の突起部２６，２６が載置部２５と一体に形成されている。
【００２３】
小径部１６は、外周部の一部に載置部２５からさらに穂先側に延びて小径部１６の全長にわたり形成された平坦な載置部３０と、穂先側外周部に形成された雄ネジ部３１とを有している。また、小径部１６の外周部の対向する２箇所には、移動シート部１１を回転不能にするための１対の係止溝３２，３２が小径部１６の全長にわたり形成されている。
【００２４】
移動シート部１１は、内径が小径部１６の外径より僅かに大きい筒状の部材である。移動シート部１１は、竿尻側内周部に、取付脚３の穂先側を係止するための第２係止部３５が形成されている。第２係止部３５は、移動シート部１１がシート本体１０に装着されたときに、載置部３０との間に取付脚３の穂先側が挿入される空間が生じるように形成されている。また、第２係止部３５は、軸方向及び幅方向長さの異なるものが、移動シート部１１の内周部の対向する２箇所に形成されている。移動シート部１１の穂先側端部には、ナット部１２が連結されるための環状突起１１ａが形成されている（図５参照）。移動シート部１１の穂先側内周部の対向する２箇所には、１対の係止溝３２，３２に係止するための１対の係止突起３６，３６が形成されている（図３参照）。
【００２５】
ナット部１２は、略筒状の部材であり、外周にコルク製の穂先グリップ４６が嵌め込まれている。ナット部１２の竿尻側端部には、移動シート部１１の環状突起１１ａに係合する環状凹部４５が形成されている（図５参照）。この環状凹部４５に環状突起１１ａが圧入により係合することで、ナット部１２は、移動シート部１１に対して相対回転自在かつ軸方向相対移動不能に連結され、これにより移動シート部１１を一体で軸方向に移動させることができる。環状凹部４５の穂先側内周部には、雄ネジ部３１に螺合して移動シート部１１を移動させるための雌ネジ部４４が形成されている。
【００２６】
次に、図３から図５により発音機構１３について説明する。
発音機構１３は、ナット部１２をシート本体１０に対し所望の位置で回り止めするとともに、ナット部１２がシート本体１０に対して回転していることを使用者に知らせるためのクリック音を発生する機構である。発音機構１３は、ナット部１２の内周側にナット部１２と別体で配置されており、リング４９（第１環状部材）と、ピン５１と、コイルバネ（第１付勢部材）５２と、音出し板（第２環状部材）５０と、抜け止め部材（第２付勢部材）４３とを有している。
【００２７】
リング４９は、ステンレス，ジュラコン等の金属製の環状部材であり、複数の固定ピン４８によりナット部１２に相対回転不能に固定されている。リング４９には、ピン支持部としての穴４７が軸方向に形成されており、このピン支持部としての穴４７に音出しピン５１が配置されている。また、このリング４９は、外周部に竿尻側に突出する環状フランジ部４９ａを有しており、この環状フランジ部４９ａに音出し板５０が収納されている。なお、環状フランジ部４９ａの竿尻側端部には、抜け止め部材４３が配置される環状溝４２が形成されている。
【００２８】
音出しピン５１は、頭部先端が半球状の茸形の部材であり、リング４９のピン支持部４７内に頭部を音出し板５０側に向けて配置されている。
コイルバネ５２は、音出しピン５１の胴部外周に配置されてピン支持部４７内に圧縮状態で配置されている。
【００２９】
音出し板５０は、樹脂製の環状状部材であり、リング４９の環状フランジ部４９ａ内にリング４９に対して相対回転可能に配置されている。音出し板５０の内周孔４１は、雄ネジ部３１の断面形状に対応して小判形状に形成されており、これにより、音出し板５０は雄ネジ部３１に対し相対回転不能となる。すなわち、音出し板５０の内周孔４１は雄ネジ部３１に対する係止部となっている。また、音出し板５０のピン支持部４７に対向する側面には、音出しピン５１と対応する位置に複数の音出し穴５５が回転方向に等間隔で形成されている。音出し穴５５は、球状の凹面を有しており、音出しピン５１の頭部が出入り自在になっている。
【００３０】
抜け止め部材４３は、一部が切り欠かれた正五角形に形成された針金状の部材であり、内周側に圧縮されてリング４９の環状溝４２内に配置されている（図３参照）。これにより、音出し板５０がリング４９から抜け出るのを防止でき、しかも音出しピン５１に押された音出し板５０をリング４９側に押し返すように付勢することができる。
【００３１】
次に、リール２の装着方法について説明する。
まず、ナット部１２を緩めてシート本体１０との螺合を解除し、ナット部１２をシート本体１０の穂先側に配置する。そして、リール２の取付脚３の竿尻側を載置部２１に載置して第１係止部２０に挿入する。また、取付脚３の穂先側を載置部２５，３０に載置する。つづいて、リール２のサイズに応じた第２係止部３５（前述のように上下で適応サイズが異なる）をリール２側に配置した後、ナット部１２をシート本体１０の雄ネジ部３１に螺合させて締め付ける。これにより、移動シート部１１がシート本体１０の小径部１６の外側を竿尻側に移動する。このとき、移動シート部１１は、係止溝３２と係止突起３６とにより回転不能なため、回転せずに軸方向にのみ移動する。
【００３２】
ナット部１２の回転時には、リング４９はナット部１２とともに回転するが、音出し板５０はその内周孔４１がシート本体１１に係止しているので回転不能である。したがって、リング４９と音出し板５０とが相対回転する。これにより、音出しピン５１が音出し穴５５に繰り返し衝突してクリック音が発生する。このとき、ナット部１２の回転を止めると、音出しピン５１が音出し穴５５のいずれかにはまりこみ、ナット部１２がシート本体１０に対して回り止めされる。
【００３３】
ここでは、音出し板５０が回転しないため、従来のように音出し板が回転する構成に比べ、音出し板の摩耗量が少なくなる。また、音出し穴５５は等間隔で設けられているため、クリック音は一定のテンポで連続的に発生する。これにより、使用者に回り止めが精密に行われているような印象を与えることができる。
【００３４】
また、音出しピン５１は、音出し穴５５間を溝３９に案内されて移動するため、溝３９がない場合に比べて、音出しピン５１が各音出し穴５５に対し出入りする際の衝撃が少なくなる。したがって、音出し板５０の摩耗を抑えることができる。
【００３５】
さらに、抜け止め部材５３は、音出しピン５１と音出し穴５５との間の圧接力を大きくする。このため、回り止めされたナット部１２が緩みにくくなる。また、クリック音が明瞭になるとともに、各音の大きさが均一になる。さらに、音出し板５０のリング４９側の面が摩耗しても、リング４９と音出し板５０との軸方向間距離が保たれる。
【００３６】
そして、発音機構１３は、ナット部１２及び移動シート部１１から独立した別体の部材である。したがって、リング４９，音出しピン５１及び音出し板５５等の各構成部材を、ナット部１２及び移動シート部１１の仕様に影響されることなく設計することができ、設計の自由度が増す。
【００３７】
さらに、発音機構の部材を交換する際においても、他のナット部材１２等と独立して交換することができ、交換時のコストを抑えることができる。
［他の実施形態］
（ａ）発音機構１３は、竿尻側と穂先側とを逆にしてナット部１２に固定することもできる。
【００３８】
（ｂ）本発明の発音機構１３は、竿４の外周部にシート本体１０を一体で形成したリール係止構造に採用することもできる。
（ｃ）本体シート部１０及び移動シート部１１は、上記実施形態とは逆に、第１係止部が移動可能にかつ第２係止部が移動不能な構成でもよい。
【００３９】
【発明の効果】
本発明によれば、発音機構は、周辺部材と別体であるため、周辺部材の設計事項に影響されることなく設計することができ、設計の自由度が増す。また、部品交換が安価になる。
【図面の簡単な説明】
【図１】本発明の一実施形態が採用されたリールシートを示す斜視図。
【図２】その縦断面図。
【図３】その分解斜視図。
【図４】図２のＩＶ−ＩＶ断面図。
【図５】図４のＶ−Ｖ断面図。
【符号の説明】
１  リールシート
２  リール
３  取付脚
４  竿
１０  シート本体
１１  移動シート部
１２  ナット部
１３  発音機構
２０  第１係止部
３１  雄ネジ部
３５  第２係止部
４１  内周孔
４３  抜け止め部材
４４  雌ネジ部
４９  リング
５０  音出し板
５１  音出しピン
５２  コイルバネ
５５  音出し穴
【図１】
0004400839.tif 000002
【図２】
0004400839.tif 000003
【図３】
0004400839.tif 000004
【図４】
0004400839.tif 000005
【図５】
0004400839.tif 000006